(57)【要約】      （修正有）【課題】モータ気密装置を提供する。【解決手段】モータ気密装置１００であって、筐体１と気密ハウジング２とスリーブ３とを含み、筐体は外側面１１と内側面１２とを備え、気密ハウジングが外側面に設けられることで外側面に気密遮断空間Ｓを形成し、スリーブが内側面に設けられ、かつ気密遮断空間と機体を連通する。モータを気密ハウジングの内部に設けることで気密遮断空間内に位置させ、気密ハウジング及び筐体が気密状態において、モータの動力出力軸４１は外気が機体に侵入することを防止するための軸封に依存する必要はない。これにより、動力出力軸と筐体に摩擦が起きず、粉じんも発生せず、軸封の摩耗もない。【選択図】図１
0003222734.tif 000002
【実用新案登録請求の範囲】
【請求項１】
外側面と内側面とを備える筐体と
前記外側面に設けられることで前記外側面に気密遮断空間を形成する気密ハウジングと、
前記内側面に設けられ、かつ前記気密遮断空間と機体を連通するスリーブと、
を含むことを特徴とする、モータ気密装置。
【請求項２】
前記気密遮断空間内に設けられたモータを更に含み、前記モータは動力出力軸を備え、前記動力出力軸が前記スリーブを経由して前記筐体から前記機体まで挿通されることを特徴とする、請求項１に記載のモータ気密装置。
【請求項３】
前記気密ハウジングに冷却孔が開設されることを特徴とする、請求項１に記載のモータ気密装置。
【請求項４】
前記気密ハウジング内に設けられた水冷手段を更に含むことを特徴とする、請求項１に記載のモータ気密装置。
【請求項５】
前記気密ハウジング内に設けられた温度モニタリング手段を更に含むことを特徴とする、請求項１に記載のモータ気密装置。
【請求項６】
前記気密ハウジングと前記筐体との間に設けられた気密手段を更に含むことを特徴とする、請求項１に記載のモータ気密装置。
【請求項７】
前記スリーブと前記筐体との間に設けられた気密手段を更に含むことを特徴とする、請求項１に記載のモータ気密装置。
【請求項８】
前記筐体と前記機体との間に設けられた支持手段を更に含むことを特徴とする、請求項１に記載のモータ気密装置。
【考案の詳細な説明】
【技術分野】
【０００１】
本考案は、気密装置に関し、特に、モータ気密装置に関する。
【背景技術】
【０００２】
モータの運転過程において熱エネルギーが発生する。モータの熱エネルギーを排除するため、モータは一般的に工作機体の外部に設けられることで、モータの冷却を図る。しかしながら工作機体が気密を必要とする状態において、気体がモータの動力出力軸に伴になって工作機械に流入することを防止することにあり、従来の手段として軸封を使用して動力出力軸を外嵌することで、気体の侵入をできる限り防止しできた。しかし軸封の気密効果にも限界があり、動力出力軸は回転、振動中に軸封と摩損するため、軸封を定期的に交換する必要があるだけでなく、軸封の摩損により生じる粉じんも工作機体に不利となっていた。
【考案の概要】
【考案が解決しようとする課題】
【０００３】
本考案者は、上記従来技術の欠陥に鑑みて鋭意研究を重ねた結果、以下の事柄を見出して本考案のモータ気密装置を完成させるに至った。
【課題を解決するための手段】
【０００４】
上記目的及び他の目的を達成するため、本考案はモータ気密装置を提供することにあり、前記モータ気密装置は外側面と内側面とを備える筐体と、前記外側面に設けられることで前記外側面に気密遮断空間を形成する気密ハウジングと、前記内側面に設けられ、かつ前記気密遮断空間と機体を連通するスリーブとを含む。
【０００５】
上記調整可能なモータ気密装置中において、前記気密遮断空間内に設けられたモータを更に含み、前記モータは動力出力軸を備え、前記動力出力軸が前記スリーブを経由して前記筐体から前記機体まで挿通される。
【０００６】
上記調整可能なモータ気密装置において、前記気密ハウジングに冷却孔が開設される。
【０００７】
上記調整可能なモータ気密装置において、前記気密ハウジング内に設けられた水冷手段を更に含む。
【０００８】
上記調整可能なモータ気密装置において、前記気密ハウジング内に設けられた温度モニタリング手段を更に含む。
【０００９】
上記調整可能なモータ気密装置において、前記気密ハウジングと前記筐体との間に設けられた気密手段を更に含む。
【００１０】
上記調整可能なモータ気密装置において、前記スリーブと前記筐体との間に設けられた気密手段を更に含む。
【００１１】
上記調整可能なモータ気密装置において、前記筐体と前記機体との間に設けられた支持手段を更に含む。
【考案の効果】
【００１２】
よって、本考案のモータ気密装置は、従来技術に対比して、軸封を使用する必要がなく、部品の交換や摩耗のコストを削減し、粉じんも発生しない。
【図面の簡単な説明】
【００１３】
【図１】本考案の実施例１に係るモータ気密装置を示す模式図である。
【図２】本考案の実施例２に係るモータ気密装置を示す模式図である。
【考案を実施するための形態】
【００１４】
以下、本考案の目的、特徴及び効果を十分理解するため、添付図面を基に下記実施例を組み合わせて本考案を詳細に説明していく。
【実施例１】
【００１５】
図１に示すように、本考案の実施例１に係るモータ気密装置１００は、筐体１と気密ハウジング２とスリーブ３とを含む。
【００１６】
筐体１は、モータ４を載置するために用いられ、かつ筐体１が外側面１１と内側面１２とを備える。
【００１７】
気密ハウジング２は、外側面１１に設置されることで外側面１１に気密遮断空間Ｓを形成する。気密ハウジング２は、ステンレス鋼製ハウジングとすることができるが本考案はこれに限られるものではない。
【００１８】
スリーブ３は、内側面１２に設けられ、かつ気密遮断空間Ｓと機体５を連通する。
【００１９】
本考案のモータ気密装置１００の構造を通じて、モータ４を気密ハウジング２の内部に設けることで気密遮断空間Ｓ内に位置させ、気密ハウジング２及び筐体１が気密状態において、モータ４の動力出力軸４１は外気が機体５に侵入することを防止するための軸封に依存する必要ない。これにより、動力出力軸４１と筐体１に摩擦が起きず、粉じんも発生せず、軸封の摩耗もない。
【００２０】
さらに、一実施例において、図１に示すように、モータ気密装置１００は、気密遮断空間Ｓ内に設けられた前記モータ４を更に含む。モータ４は、動力出力軸４１を備え、動力出力軸４１がスリーブ３を経由して筐体１から機体５内まで挿通する。これを介して、全体的な気密状態において動力を機体５に出力できる。
【００２１】
さらに、一実施例において、図１に示すように、気密ハウジング２に冷却孔２１が開設される。冷却孔２１は、窒素源（図示せず）に連通するために用いられ、窒素源が窒素を気密遮断空間Ｓ内に導入してモータ４を冷却し、これら窒素がスリーブ３を経由して機体５内に入ることで、機体５の動作環境に窒素を充満させる。冷却孔２１の周りに気密シリコン等の気密手段で窒素管路と冷却孔２１との間の隙間を密封する。
【００２２】
さらに、一実施例において、図１に示すように、モータ気密装置１００は、気密ハウジング２内に設けられた温度モニタリング手段６を更に含む。温度モニタリング手段６は、モータ４の温度を検知するために用いられる。温度モニタリング手段６は、無線或いは有線タイプの装置とすることができ、温度モニタリング手段６が有線タイプの場合、同様に開孔及び気密シール方式で気密ハウジング２の外部まで配線する。
【００２３】
さらに、一実施例において、図１に示すように、モータ気密装置１００は、気密手段７１、７２を更に含む。気密手段７１は、気密ハウジング２と筐体１との間に設けられ、気密手段７２がスリーブ３と筐体１との間に設けられる。気密手段７１、７２が例えばシリコン気密手段であるが、本考案はこれに限られるものではない。これを介して、気密ハウジング２とスリーブ３と機体５内部の空間を気密で外部と遮断させる。
【００２４】
さらに、一実施例において、図１に示すように、モータ気密装置１００は、筐体１と機体５との間に設けられた支持手段８を更に含み、筐体１及びその外側のモータ４、気密ハウジング２を支持するために用いられる。
【実施例２】
【００２５】
さらに、図２に示すように、本考案は、実施例２を提供する。実施例２のモータ気密装置１００ａと実施例１のモータ気密装置１００との相違点は、モータ気密装置１００ａが空冷の冷却孔２１を備えず、気密ハウジング２内に設けられた水冷手段９を備える。水冷手段９は、例えば冷却コイルとし、高表面積を通じてモータ４と熱交換する。
【００２６】
以上本考案につき、好ましい実施例を挙げて種々説明したが、これらはあくまでも本考案の技術内容を明らかにするものであって、本考案の実施範囲がそのような実施例に限定されるものではないことは当業者にとって明らかである。留意すべき点は、前記実施例との均等の範囲内の変化及び置換が均しく本考案の範囲内に網羅する。よって、本考案の保護範囲は、実用新案登録請求の範囲で画定する範囲を基準とする。
【符号の説明】
【００２７】
１００      モータ気密装置
１００ａ    モータ気密装置
１          筐体
１１        外側面
１２        内側面
２          気密ハウジング
２１        冷却孔
３          スリーブ
４          モータ
４１        動力出力軸
５          機体
６          温度モニタリング手段
７１        気密手段
７２        気密手段
８          支持手段
９          水冷手段
Ｓ          気密遮断空間
【図１】
0003222734.tif 000003
【図２】
0003222734.tif 000004